(57)【要約】【課題】本発明は、多様な形状及びサイズを有する熱交換器が設置される空気調和機の室内機を提供するためのものである。【解決手段】本発明の空気調和機の室内機は、後面パネルと前面パネルからなる本体と、この本体の内部に設置される熱交換器と送風ファンを含み、熱交換器と後面パネルとの間に遮断部材が設けられて、この遮断部材により熱交換器のサイズが変更されても熱交換器を経ないで空気が流れることを防止することになる。【選択図】図２
2008096096.tif 000002
【特許請求の範囲】
【請求項１】
後面パネルと前記後面パネルの前方に結合され、吸入口と吐出口が形成される前面パネルからなる本体と、前記本体の内部に設置される送風ファンと熱交換器を含む空気調和機の室内機であって、
前記熱交換器と前記後面パネルとの間には前記吸入口を通じて吸入された空気が前記熱交換器と前記後面パネルとの間に形成された空間を通じて流れることを遮断するための遮断部材が設けられたことを特徴とする空気調和機の室内機。
【請求項２】
前記遮断部材は、ＥＰＳ材質からなることを特徴とする請求項１記載の空気調和機の室内機。
【請求項３】
前記遮断部材の上面と前面には押出成形された押出部材が設けられたことを特徴とする請求項２記載の空気調和機の室内機。
【請求項４】
前記押出部材は、前記遮断部材の上面に密着して、前記遮断部材が露出しないようにする上面部と、前記熱交換器と前記遮断部材との間に密着して、前記熱交換器と前記遮断部材との間に空気の流入を防止する前面部からなることを特徴とする請求項３記載の空気調和機の室内機。
【請求項５】
前記後面パネルの前面には前記遮断部材を支持するための支持部が形成されたことを特徴とする請求項１記載の空気調和機の室内機。
【発明の詳細な説明】
【技術分野】
【０００１】
本発明は、空気調和機の室内機に関し、より詳しくは、室内空間の面積に応じて熱交換器のサイズが調整可能な空気調和機の室内機に関する。
【背景技術】
【０００２】
一般に、建物の壁に設置される空気調和機の室内機は、室内空気の吸入のために、前面上部に形成される吸入口と、内部で調和した空気の吐出のために前面下部に形成される吐出口が設けられている。この室内機の内部には吸入口を通じて吸入された空気の熱交換のための熱交換器と、この熱交換器を通じて熱交換された空気を吐出口を通じて送風させる送風装置が設けられる。
【０００３】
このような空気調和機の室内機に設置される熱交換器は、前述したように、吸入口を通じて吸入された空気を熱交換する役割をするだけでなく、吸入口を通じて吸入された空気が熱交換器を通じなくては吐出できないように空気の流れを遮断する役割をする。
【０００４】
上記のように熱交換器を通じて空気の流れを遮断する理由は、熱交換器を通過せずに室内に流入する空気が熱交換された空気と接触して露を形成して室内に露が吐出される問題点を防止するためである。
【０００５】
一方、従来は、室内機が設置される室内空間の面積条件に応じて、サイズの小さい熱交換器を設置していた。しかしながら、このようにサイズの小さい熱交換器が設置された室内機では、熱交換器のサイズが小さくなることで本体の内部で空間が生じてしまうので、この空間を通じて吸入口から吸入された空気が熱交換器を経ないで吐出される問題点が発生する。
【０００６】
また、従来の熱交換器は、高価の金型により生産される製品であって、多様なモデルを開発する場合、その度に金型を修正することが容易でないという問題点もある。
【発明の開示】
【発明が解決しようとする課題】
【０００７】
本発明は前述した問題点を勘案して案出したものであって、本発明の目的は、室内空間の面積に応じて熱交換器を変更しても熱交換器を経ないで吸入された空気が吐出されることを防止する空気調和機の室内機を提供することにある。
【課題を解決するための手段】
【０００８】
前述した目的を具現するための本発明による空気調和機の室内機は、後面パネルと後面パネルの前方に結合され、吸入口と吐出口が形成される前面パネルからなる本体と、本体の内部に設置される送風ファンと熱交換器を含み、熱交換器と後面パネルとの間には吸入口を通じて吸入された空気が熱交換器と後面パネルとの間に形成された空間を通じて流れることを遮断するための遮断部材が設けられたことを特徴とする。
【０００９】
遮断部材はＥＰＳ材質からなることを特徴とする。
【００１０】
遮断部材の上面には押出成形された押出部材が設けられたことを特徴とする。
【００１１】
押出部材は、遮断部材の上面に密着して、遮断部材が露出しないようにする上面部と、熱交換器と遮断部材との間に密着して、熱交換器と遮断部材との間に空気の流入を防止する前面部からなることを特徴とする。
【００１２】
後面パネルの前面には遮断部材を支持するための支持部が形成されたことを特徴とする。
【発明の効果】
【００１３】
本発明による空気調和機の室内機は、ＥＰＳ材質からなる遮断部材が設けられることによって、吸入口を通じて吸入された空気が熱交換器を経ないで吐出されることを防止し、多様なモデルの熱交換器を適用することができる効果がある。
【発明を実施するための最良の形態】
【００１４】
以下、本発明による好ましい実施形態を添付図面を参照しつつ詳細に説明する。
【００１５】
本発明による空気調和機の室内機には、図１と図２に示すように、建物の壁に固定される後面パネル１１と、後面パネル１１の前方に結合される前面パネル１２を含む本体１０が設けられる。
【００１６】
前面パネル１２には前面の大部分と上面に室内空気の吸入のための吸入口１２ａが形成され、調和した空気の排出のために下段に横方向に長い吐出口１２ｂが形成される。
【００１７】
前面パネル１２の前方には、この前面パネル１２の上部に回動可能に装着される吸入グリル１５が設けられ、この吸入グリル１５には前面パネル１２の吸入口１２ａと連通する多数の通風口１５ａ、１５ｂが形成される。
【００１８】
そして、吸入グリル１５の内側には通風口１５ａ、１５ｂを通じて吸入される空気の異質物をろ過するためのプリフィルタ１６が設置される。
【００１９】
また、本体１０の内部には吸入空気の熱交換のための熱交換器１３、空気の送風のための送風装置が設置される。
【００２０】
熱交換器１３は、吸入口１２ａを通じて吸入される空気を熱交換するように横方向に長く形成され、本体１０の内部の後方上部から前方下部に至る上下幅を有する。熱交換器１３の両端には連結部材１９が設けられて、この連結部材１９を通じて本体１０に固定されることになり、熱交換器１３の下段は前面パネル１２の内側下部に支持される。
【００２１】
送風装置は、熱交換器１３の後方に設置される横方向の長い横流型送風ファン１７と、送風ファン１７を駆動するように後面パネル１１に装着され、送風ファン１７と軸を介して連結される駆動モータ１８を含む。
【００２２】
一方、本発明では、室内機が設置される室内空間の面積に応じて室内機の内部に設置される熱交換器１３の形状及びサイズを変更することができる。この際、図３及び図４に示すように、本体１０の内部にサイズの小さい熱交換器１３が設置されれば、この熱交換器１３のサイズが小さくなっただけに熱交換器１３と後面パネル１１との間に一定の空間が形成される。
【００２３】
熱交換器１３と後面パネル１１との間に形成された一定空間には、吸入口１２ａから吸入された空気が熱交換器１３を経ないで吐出されることを遮断する役割をする遮断部材２０が設けられる。この時の遮断部材２０は、軽量で、かつ安価なＥＰＳ（expandable Polystyrene；スチロフォーム）材質からなる。
【００２４】
上記のような遮断部材２０は、その後段が後面パネル１１の一側に形成された支持部１１ａに支持され、熱交換器１３の両端に設けられた連結部材１９により本体１０に固定されることができる。そして、遮断部材２０の前面には支持面２１が形成され、この支持面２１に熱交換器１３の後段の下面が密着して熱交換器１３を支持することになる。
【００２５】
また、本発明では、遮断部材２０の上面から遮断部材２０と熱交換器１３との間に亘って配置される押出部材２２が設けられる。上記のような押出部材２２は、遮断部材２０の上面に密着する上面部２３と、この上面部２３と連結されて熱交換器１３と遮断部材２０との間に密着する前面部２４からなる。
【００２６】
この際、押出部材２２の上面部２３はＥＰＳ材質からなる遮断部材２０の低価イメージが露出しないようにする役割をする。このために、押出部材２２は多様なカラーでなされることが好ましい。
【００２７】
押出部材２２の前面部２４は、熱交換器１３と遮断部材２０との間に空気が流入することを防止して、空気の流入により発生する騒音を予め防止することができる。
【００２８】
以下、図面を参照しつつ本発明による空気調和機の室内機の作用効果を説明すれば、次の通りである。
【００２９】
本発明による空気調和機の室内機は、駆動モータ１８の動作により送風ファン１７が回転することによって、吸入グリル１５側から室内空気の吸入がなされて、吸入された空気は熱交換器１３と送風ファン１７を経た後、吐出口１２ｂを通じてまた室内に供給される。この際、吸入空気は熱交換器１３を経ながら冷たい冷気（または、暖気）となり、この空気が吐出口１２ｂを通じて室内に供給されることによって、室内空間を調和させる。
【００３０】
一方、本発明では室内空間の面積条件に応じて熱交換器１３の形状及びサイズを変更、即ち、縮小させることができる。このように、熱交換器１３の縮小により形成された一定の空間には遮断部材２０が設置される。
【００３１】
遮断部材２０の先端には支持面２１が形成されて熱交換器１３と密着支持され、後段は後面パネル１１の支持部１１ａにより支持される。
【００３２】
したがって、本発明では、遮断部材２０により上記のように室内空間を調和させる過程で、吸入口１２ａを通じて吸入された空気が熱交換器１３を経ないで吐出されることを防止することができる。
【００３３】
また、本発明では、室内空間の面積条件に応じて多様なモデルの熱交換器１３を設置しても、軽量で、かつ安価のＥＰＳ材質からなる遮断部材２０を変更することで、熱交換器１３の変更を容易にすることができる。
【００３４】
この際、本発明では、遮断部材２０の上面と遮断部材２０と熱交換器１３との間に亘って多様なカラーでなされた押出部材２２を装着することによって、ＥＰＳ材質からなる遮断部材２０自体が低価イメージを補完することができ、遮断部材２０と熱交換器１３との間に空気が流入することを予め防止することができる。
【図面の簡単な説明】
【００３５】
【図１】本発明による空気調和機の室内機を示す分解斜視図である。
【図２】本発明による空気調和機の室内機を示す断面図である。
【図３】図２に図示された部分を拡大した断面図である。
【図４】本発明の熱交換器と遮断部材及び押出部材を示す分解斜視図である。
【符号の説明】
【００３６】
１０    本体
１１    後面パネル
１１ａ    支持面
１２    前面パネル
１２ａ    吸入口
１３    熱交換器
１５    吸入グリル
１５ａ、１５ｂ    吐出口
１７    送風ファン
１９    連結部材
２０    遮断部材
２１    支持部
２２    押出部材
２３    押出部材の上面部
２４    押出部材の前面部
【図１】
2008096096.tif 000003
【図２】
2008096096.tif 000004
【図３】
2008096096.tif 000005
【図４】
2008096096.tif 000006